【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つのワイヤレスデバイスがアウェイクであるようにスケジュールされる期間を決定することと、
前記期間中に前記少なくとも１つのワイヤレスデバイスへの送信のための第１のフレームを生成することと
を行うように構成された処理システムと、
送信のための前記第１のフレームを出力するように構成された第１のインターフェースと、
送信のための前記第１のフレームが出力された後に第２のフレームを取得するように構成された第２のインターフェースと
を備え、前記処理システムは、
前記第１のフレームを出力することと前記第２のフレームを取得することとの間の時間差に基づいてレンジング情報を決定することと、
前記レンジング情報を含む第３のフレームを生成することと
を行うようにさらに構成され、
前記第１のインターフェースは、送信のための前記第３のフレームを出力するようにさらに構成される、装置。
【請求項２】
前記レンジング情報は、ファインタイミング測定（ＦＴＭ）情報を備える、
請求項１に記載の装置。
【請求項３】
前記装置は、非アクセスポイント（ＡＰ）局として構成され、前記少なくとも１つのワイヤレスデバイスは、非ＡＰ局を備える、
請求項１に記載の装置。
【請求項４】
前記少なくとも１つのワイヤレスデバイスは、ネイバーアウェアネットワーク（ＮＡＮ）のメンバーであり、
前記処理システムは、前記ＮＡＮの同期信号に基づいて、前記少なくとも１つのワイヤレスデバイスがアウェイクであるようにスケジュールされる前記期間を決定するように構成された、
請求項１に記載の装置。
【請求項５】
前記第１のフレーム、前記第２のフレーム、または前記第３のフレームのうちの少なくとも１つは、前記少なくとも１つのワイヤレスデバイスとの実行される関連付けプロシージャ中に通信される、
請求項１に記載の装置。
【請求項６】
前記第１のフレーム、前記第２のフレーム、または前記第３のフレームのうちの前記少なくとも１つは、関連付けまたは認証フレームを備える、
請求項５に記載の装置。
【請求項７】
前記第２のインターフェースは、前記少なくとも１つのワイヤレスデバイスから、モビリティ情報のインジケーションを取得するように構成され、
前記処理システムは、前記インジケーションに基づいて前記少なくとも１つのワイヤレスデバイスとの前記関連付けプロシージャを開始するように構成された、
請求項５に記載の装置。
【請求項８】
前記第１のフレーム、前記第２のフレーム、または前記第３のフレームのうちの少なくとも１つは、プローブ要求、プローブ応答、受信トリガフレームまたは送信ポールフレームを備える、
請求項１に記載の装置。
【請求項９】
前記少なくとも１つのワイヤレスデバイスがアウェイクであるようにスケジュールされる前記期間を決定することは、前記少なくとも１つのワイヤレスデバイスがトラフィック告知に基づいてデータを送るかまたは受信するようにスケジュールされると決定することを備える、
請求項１に記載の装置。
【請求項１０】
前記第１のインターフェースは、少なくとも他のワイヤレスデバイスへの送信のための前記第３のフレームを出力するように構成された、
請求項１に記載の装置。
【請求項１１】
前記処理システムは、前記装置が静止しているかどうかを示すモビリティ情報を含む第４のフレームを生成するように構成され、
前記第１のインターフェースは、前記少なくとも１つのワイヤレスデバイスまたは前記少なくとも１つの他のワイヤレスデバイスのうちの少なくとも１つへの送信のための前記第４のフレームを出力するように構成された、
請求項１０に記載の装置。
【請求項１２】
前記第３のフレームは、少なくとも前記ワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
請求項１０に記載の装置。
【請求項１３】
前記第２のインターフェースは、前記レンジング情報を要求する前記少なくとも１つの他のワイヤレスデバイスから第４のフレームを取得するようにさらに構成され、
前記第３のフレームは、前記第４のフレームに応答して前記少なくとも１つの他のワイヤレスデバイスへの送信のために出力される、
請求項１０に記載の装置。
【請求項１４】
前記第１のフレームと前記第３のフレームとを送信するように構成された送信機と、
前記第２のフレームを受信するように構成された受信機と、ここにおいて、前記装置は、ワイヤレス局として構成される、
をさらに備える、請求項１に記載の装置。
【請求項１５】
ワイヤレス通信のための装置であって、
第１の電力状態からアウェイクするための期間を決定するように構成された処理システムと、
前記期間中にワイヤレスデバイスから第１のフレームを取得するように構成された第１のインターフェースと、ここにおいて、前記処理システムは、前記第１のフレームが前記期間中に前記ワイヤレスデバイスから取得された後に前記ワイヤレスデバイスへの送信のための第２のフレームを生成するようにさらに構成される、
前記ワイヤレスデバイスへの送信のための前記第２のフレームを出力するように構成された第２のインターフェースと
を備え、
前記第１のインターフェースは、レンジング情報を備える第３のフレームを取得するようにさらに構成され、
前記処理システムは、前記第３のフレームに含まれる前記レンジング情報に基づいて、前記装置に対する前記ワイヤレスデバイスの相対ロケーションを決定するようにさらに構成される、装置。
【請求項１６】
前記レンジング情報は、ファインタイミング測定（ＦＴＭ）情報を備える、
請求項１５に記載の装置。
【請求項１７】
前記第１のフレーム、前記第２のフレーム、または前記第３のフレームのうちの少なくとも１つは、前記ワイヤレスデバイスとの実行される関連付けプロシージャ中に通信される、
請求項１５に記載の装置。
【請求項１８】
前記第１のフレーム、前記第２のフレーム、または前記第３のフレームのうちの少なくとも１つは、関連付けフレーム、認証フレーム、プローブ要求またはプローブ応答を備える、
請求項１７に記載の装置。
【請求項１９】
前記第１のインターフェースは、前記ワイヤレスデバイスから、モビリティ情報のインジケーションを取得するように構成され、
前記処理システムは、前記インジケーションに基づいて前記関連付けプロシージャを開始するように構成された、
請求項１８に記載の装置。
【請求項２０】
前記処理システムは、同期信号に基づいて前記第１の電力状態からアウェイクするための前記期間を決定するように構成された、
請求項１５に記載の装置。
【請求項２１】
前記第１の電力状態からアウェイクするための前記期間を決定することは、前記装置がトラフィック告知に基づいてデータを送るかまたは受信するようにスケジュールされると決定することを備える、
請求項１５に記載の装置。
【請求項２２】
前記第１のフレーム、前記第２のフレーム、または前記第３のフレームのうちの少なくとも１つは、受信トリガフレームまたは送信ポールフレームのうちの少なくとも１つを備える、
請求項１５に記載の装置。
【請求項２３】
前記第１のインターフェースは、少なくとも他のワイヤレスデバイスに関するレンジング情報を含む第４のフレームを取得するように構成され、
前記処理システムは、前記第４のフレーム中に含まれる前記レンジング情報に基づいて、前記ワイヤレスデバイスと前記他のワイヤレスデバイスとの間の相対距離を決定するように構成された、
請求項１５に記載の装置。
【請求項２４】
前記処理システムは、前記ワイヤレスデバイスが静止していることをモビリティ情報が示す場合のみ、前記第４のフレーム中に含まれる前記レンジング情報に基づいて、前記ワイヤレスデバイスと前記他のワイヤレスデバイスとの間の相対距離を決定するように構成された、
請求項２３に記載の装置。
【請求項２５】
前記第４のフレームは、少なくとも前記他のワイヤレスデバイスに関するサービス情報を含む、ブロードキャスト発見メッセージ、ブロードキャスト同期ビーコン、またはネイバーアウェアネットワーク（ＮＡＮ）サービス発見メッセージを備える、
請求項２３に記載の装置。
【請求項２６】
前記処理システムは、前記他のワイヤレスデバイスに関する前記レンジング情報を要求する第５のフレームを生成するように構成され、
前記第２のインターフェースは、送信のための前記第５のフレームを出力するように構成された、
請求項２３に記載の装置。
【請求項２７】
前記第４のフレームは、１つまたは複数の追加のワイヤレスデバイスに関するレンジング情報を含む、
請求項２３に記載の装置。
【請求項２８】
前記第１のフレームと前記第３のフレームとを受信するように構成された受信機と、
前記第２のフレームを送信するように構成された送信機と、ここにおいて、前記装置は、ワイヤレス局として構成される、
をさらに備える、請求項１５に記載の装置。
【請求項２９】
装置によるワイヤレス通信のための方法であって、
少なくとも１つのワイヤレスデバイスがアウェイクであるようにスケジュールされる期間を決定することと、
前記期間中に前記ワイヤレスデバイスへの送信のための第１のフレームを生成することと、
送信のための前記第１のフレームを出力し、前記第１のフレームを出力した後に第２のフレームを取得することと、
前記第１のフレームを出力することと、前記第２のフレームを取得することとの間の時間差に基づいてレンジング情報を決定することと、
前記レンジング情報を含む第３のフレームを生成することと、
送信のための前記第３のフレームを出力することと
を備える、方法。
【請求項３０】
装置によるワイヤレス通信のための方法であって、
第１の電力状態からアウェイクするための期間を決定することと、
前記期間中にワイヤレスデバイスから第１のフレームを取得することと、
前記期間中に前記ワイヤレスデバイスから前記第１のフレームを取得した後に前記ワイヤレスデバイスへの送信のための第２のフレームを生成することと、
前記ワイヤレスデバイスへの送信のための前記第２のフレームを出力することと、
レンジング情報を備える第３のフレームを取得することと、
前記第３のフレーム中に含まれる前記レンジング情報に基づいて前記装置に対する前記ワイヤレスデバイスの相対ロケーションを決定することと
を備える、方法。